(57)【特許請求の範囲】
【請求項１】
水平方向に配置され、垂直方向に沿って上方から迎え入れた基板（６）を水平方向に保持するための固定ベースとなるシャーシ（２）と、
前記シャーシのうち、前記水平方向に配置された前記基板（６）の水平方向一方側端部よりもさらに前記水平方向一方側の部分から、垂直方向に沿って上方へ向かって突出するように立設された第１支持リブ（３）と、
前記第１支持リブの上部先端に設けられ、前記基板の前記一方側端部を上方から引っ掛けて下方へ向かって弾性的に押圧するための引っ掛け部（４）と、
前記シャーシのうち、前記基板の前記一方側端部近傍の下方でかつ前記第１支持リブよりも前記水平方向他方側に離間して設けられ、前記引っ掛け部と協働して前記基板の前記一方側端部近傍を下方から上方へ向かって押圧狭持する第１保持用リブ（５）と、
前記シャーシのうち、前記水平方向に配置された前記基板の前記他方側端部よりもさらに前記他方側の部分から、垂直方向に沿って上方へ向かって立設される第２支持リブ（３′）と、
前記シャーシのうち、前記基板の前記他方側端部近傍の下方に設けられ、前記第２支持リブと協働して前記基板の前記他方側端部近傍を狭持する第２保持用リブ（５′）と、
前記水平方向に沿い前記一方側と前記他方側と沿って離間して配置された前記第１支持リブ（３）と前記第１保持用リブ（５）との間に、前記第１支持リブよりも前記他方側でかつ前記第１保持用リブ（５）よりも前記一方側となるように配置されるとともに、前記水平方向に配置され前記引っ掛け部（４）と前記第１保持用リブ（５）との間で狭持された状態の前記基板（６）の前記一方側端部に対し下方から臨むように上下方向に孔設され、かつ、前記基板（６）の一方側端部に当接することにより前記引っ掛け部（４）の先端を乗り越えさせる工具を下方から挿入するための、基板取り外し用孔部（７）と、
を有することを特徴とする樹脂製ケース。
【請求項２】
水平方向に配置され、垂直方向に沿って上方から迎え入れた基板（６）を水平方向に保持するための固定ベースとなるシャーシ（２）と、
前記シャーシのうち、前記水平方向に配置された前記基板（６）の水平方向一方側端部よりもさらに前記水平方向一方側の部分から、垂直方向に沿って上方へ向かって突出するように立設された第１支持リブ（３）と、
前記第１支持リブの上部先端に設けられ、前記基板の前記一方側端部を上方から引っ掛けて下方へ向かって弾性的に押圧するための引っ掛け部（４）と、
前記シャーシのうち、前記基板の前記一方側端部近傍の下方でかつ前記第１支持リブよりも前記水平方向他方側に離間して設けられ、前記引っ掛け部と協働して前記基板の前記一方側端部近傍を下方から上方へ向かって押圧狭持する第１保持用リブ（５）と、
前記シャーシのうち、前記水平方向に配置された前記基板の前記他方側端部よりもさらに前記他方側の部分から、垂直方向に沿って上方へ向かって立設される第２支持リブ（３′）と、
前記シャーシのうち、前記基板の前記他方側端部近傍の下方に設けられ、前記第２支持リブと協働して前記基板の前記他方側端部近傍を狭持する第２保持用リブ（５′）と、
前記水平方向に沿い前記一方側と前記他方側と沿って離間して配置された前記第１支持リブ（３）と前記第１保持用リブ（５）との間に、前記第１支持リブよりも前記他方側でかつ前記第１保持用リブ（５）よりも前記一方側となるように配置されるとともに、前記水平方向に配置され前記引っ掛け部（４）と前記第１保持用リブ（５）との間で狭持された状態の前記基板（６）の前記一方側端部に対し下方から臨むように上下方向に孔設され、かつ、前記基板（６）の一方側端部に当接して押圧力を作用させ当該基板（６）を前記他方側方向に移動させることにより前記引っ掛け部（４）の先端を乗り越えさせる工具を下方から挿入するための、基板取り外し用孔部（７）と、
を有することを特徴とする樹脂製ケース。
【請求項３】
水平方向に配置され、垂直方向に沿って上方から迎え入れた基板（６）を水平方向に保持するための固定ベースとなるシャーシ（２）と、
前記シャーシのうち、前記水平方向に配置された前記基板（６）の水平方向一方側端部よりもさらに前記水平方向一方側の部分から、垂直方向に沿って上方へ向かって突出するように立設された第１支持リブ（３）と、
前記第１支持リブの上部先端に設けられ、前記基板の前記一方側端部を上方から引っ掛けて下方へ向かって弾性的に押圧するための引っ掛け部（４）と、
前記シャーシのうち、前記基板の前記一方側端部近傍の下方でかつ前記第１支持リブよりも前記水平方向他方側に離間して設けられ、前記引っ掛け部と協働して前記基板の前記一方側端部近傍を下方から上方へ向かって押圧狭持する第１保持用リブ（５）と、
前記シャーシのうち、前記水平方向に配置された前記基板の前記他方側端部よりもさらに前記他方側の部分から、垂直方向に沿って上方へ向かって立設される第２支持リブ（３′）と、
前記シャーシのうち、前記基板の前記他方側端部近傍の下方に設けられ、前記第２支持リブと協働して前記基板の前記他方側端部近傍を狭持する第２保持用リブ（５′）と、
前記水平方向に沿い前記一方側と前記他方側と沿って離間して配置された前記第１支持リブ（３）と前記第１保持用リブ（５）との間に、前記第１支持リブよりも前記他方側でかつ前記第１保持用リブ（５）よりも前記一方側となるように配置されるとともに、前記水平方向に配置され前記引っ掛け部（４）と前記第１保持用リブ（５）との間で狭持された状態の前記基板（６）の前記一方側端部に対し下方から臨むように上下方向に孔設された基板取り外し用孔部（７）と、
を有し、
前記基板取り外し用孔部（７）の上部には、
下方から前記基板取り外し用孔部（７）に受け入れた工具を前記基板の左端と前記第１支持リブとの間に挿入するとともに、当該挿入された前記工具（８）が、前記基板（６）の一方側端部に当接して押圧力を作用させ当該基板（６）を前記他方側方向に移動させることにより前記引っ掛け部（４）の先端を乗り越えさせるための空間領域を、前記引っ掛け部（４）の下方に備えている
ことを特徴とする樹脂製ケース。
【請求項４】
請求項１乃至請求項３のいずれか１項記載の樹脂製ケースを電子機器に取り付けるための電子機器筐体として構成することを特徴とするモータ制御装置。
【発明の詳細な説明】
【技術分野】
【０００１】
本発明は、例えばモータ制御装置等の電子機器筐体に基板を取付ける樹脂製ケース及びそれを備えたモータ制御装置に関する。
【背景技術】
【０００２】
従来、モータ制御装置等の電子機器筐体に基板を取付けて収納するための樹脂製ケースは、図５のようになっている（例えば、特許文献１を参照）。
図５は第１従来技術を示す基板取付装置の斜視図、図６は図５の要部を示した側断面図である。
図５、図６において、１０は樹脂製ケース、１１はシャーシ、１１ａは孔、１２は基板、１３は支持リブ、１４は引っ掛け部、１５は弾性リブである。
基板取付装置を構成する樹脂製ケースは、シャーシ１１の底から立設された支持リブ１３の上部に水平方向に突出した引っ掛け部１４が設けられており、この引っ掛け部１４に基板１２の一端部が引っ掛けられて保持されると共に、該引っ掛け部１４に引っ掛けられた基板１２を該基板の下部から押圧支持する弾性リブ１５が支持リブ１３の下部から突出するように設けられている。
このような構成の樹脂ケース１０において、引っ掛け部１４は基板１２に対し傾斜方向へ横に突出した形で設けられており、引っ掛け部１４と弾性リブ１５の間における側面（シャーシ１１と平行な方向）から基板１２を挿入すると、基板１２が引っ掛け部１４の上方から押し当てられた状態で、引っ掛け部１４の傾斜に沿って移動し、最終的には引っ掛け部１４と弾性リブ１５の間で保持される。なお、孔１１ａは引っ掛け部１４をシャーシ１１と合成樹脂で一体成形にて形成される金型を避けた孔となっている。
また、第２従来技術として、ディスクの固定、取り出し用に押圧用の操作片を有する爪を形成したコンパクトディスク等を収納するケースは、図７、図８、図９のようになっている（例えば、特許文献２参照）。
図７は第２従来技術を示すディスク収納ケースの平面図、図８は図７のディスク収納ケースの爪部の断面図、図９は図７のディスク収納ケースにおける操作片を有した爪部の断面図である。
図７、図８において、２０はディスク収納ケース、２１はシャーシ、２２はディスク、２２ａは中央孔、２２ｂは外周縁、２３及び２４並びに２５は爪部、２６はボス部である。
この三つの爪部２３〜２５のうち爪部２３は、図９において、爪２３の上端にディスク２２の径方向外方に延出するように押圧用の操作片２８が形成されると共に、操作片２８の上面に押圧し易いように多数の突条２７が形成されている。この操作片２８を押圧すると爪部２３は外方に撓むことで、収納されていたディスク２２を取り外すことが可能となる。
【特許文献１】特開平１１−３０７９６１号公報（第３頁、図３）
【特許文献２】実用新案登録第２６０５６０４号（第４頁、図４）
【発明の開示】
【発明が解決しようとする課題】
【０００３】
ところが、従来技術には以下の問題があった。
（１）第１従来技術における基板固定用の樹脂製ケースは、引っ掛け部と弾性リブの間における側面（シャーシと平行な方向）から基板を挿入する際に、ネジを使用しなくても基板を取り付けることが可能であった。しかしながら、例えば、樹脂ケースにおいて、基板の取り付けや取り外しを行う方向がシャーシと平行な方向でなく、シャーシに対して垂直な方向に限定される構造の場合、基板取付けを行う際、引っ掛け部を乗り越えるように基板を傾け、基板を弾性リブに押し当てながら弾性変形させると、弾性リブに無理な力がかかり、折損する恐れがあった。また、基板取り外しを行う際にも、引掛け部から開放する方向に弾性リブを押し付けながら弾性変形させる必要があり、基板を斜めにした不規則な姿勢で、基板を引っ掛け部から取り外すようにすると、基板を弾性リブに押し付ける際の無理な力が働き、弾性リブの折損の恐れがあるという問題があった。
（２）第２従来技術におけるディスク収納ケースのような場合は、ディスク取り外し作業の際に一方の片手で爪部を撓ませ、他方の片方の手でディスクを取り外す必要があるので、ケース内に両手が入り込むスペースを確保する必要があった。そのため、収納ケースに両手が入り込むスペースを確保することは、小型・簡単化、省スペース化に逆行することになり、不向きであった。
本発明はこのような問題点に鑑みてなされたものであり、基板を樹脂ケースの基板取付台を構成するシャーシと垂直な方向から取付けや取り外す場合に、リブの折損を防止すると共に、樹脂ケースの中に手の入るスペースが無くても基板を容易に取り外すことができる、小型・簡単化が可能な樹脂製ケース及びそれを備えたモータ制御装置を提供することを目的とする。
【課題を解決するための手段】
【０００４】
上記問題を解決するため、請求項１に記載の本発明は、水平方向に配置され、垂直方向に沿って上方から迎え入れた基板を水平方向に保持するための固定ベースとなるシャーシと、前記シャーシのうち、前記水平方向に配置された前記基板の水平方向一方側端部よりもさらに前記水平方向一方側の部分から、垂直方向に沿って上方へ向かって突出するように立設された第１支持リブと、前記第１支持リブの上部先端に設けられ、前記基板の前記一方側端部を上方から引っ掛けて下方へ向かって弾性的に押圧するための引っ掛け部と、前記シャーシのうち、前記基板の前記一方側端部近傍の下方でかつ前記第１支持リブよりも前記水平方向他方側に離間して設けられ、前記引っ掛け部と協働して前記基板の前記一方側端部近傍を下方から上方へ向かって押圧狭持する第１保持用リブと、前記シャーシのうち、前記水平方向に配置された前記基板の前記他方側端部よりもさらに前記他方側の部分から、垂直方向に沿って上方へ向かって立設される第２支持リブと、前記シャーシのうち、前記基板の前記他方側端部近傍の下方に設けられ、前記第２支持リブと協働して前記基板の前記他方側端部近傍を狭持する第２保持用リブと、前記水平方向に沿い前記一方側と前記他方側と沿って離間して配置された前記第１支持リブと前記第１保持用リブとの間に、前記第１支持リブよりも前記他方側でかつ前記第１保持用リブよりも前記一方側となるように配置されるとともに、前記水平方向に配置され前記引っ掛け部と前記第１保持用リブとの間で狭持された状態の前記基板の前記一方側端部に対し下方から臨むように上下方向に孔設され、かつ、前記基板の一方側端部に当接することにより前記引っ掛け部の先端を乗り越えさせる工具を下方から挿入するための、基板取り外し用孔部と、
を有することを特徴としている。
また、上記問題を解決するため、請求項２に記載の本発明は、水平方向に配置され、垂直方向に沿って上方から迎え入れた基板を水平方向に保持するための固定ベースとなるシャーシと、前記シャーシのうち、前記水平方向に配置された前記基板の水平方向一方側端部よりもさらに前記水平方向一方側の部分から、垂直方向に沿って上方へ向かって突出するように立設された第１支持リブと、前記第１支持リブの上部先端に設けられ、前記基板の前記一方側端部を上方から引っ掛けて下方へ向かって弾性的に押圧するための引っ掛け部と、前記シャーシのうち、前記基板の前記一方側端部近傍の下方でかつ前記第１支持リブよりも前記水平方向他方側に離間して設けられ、前記引っ掛け部と協働して前記基板の前記一方側端部近傍を下方から上方へ向かって押圧狭持する第１保持用リブと、前記シャーシのうち、前記水平方向に配置された前記基板の前記他方側端部よりもさらに前記他方側の部分から、垂直方向に沿って上方へ向かって立設される第２支持リブと、前記シャーシのうち、前記基板の前記他方側端部近傍の下方に設けられ、前記第２支持リブと協働して前記基板の前記他方側端部近傍を狭持する第２保持用リブと、前記水平方向に沿い前記一方側と前記他方側と沿って離間して配置された前記第１支持リブと前記第１保持用リブとの間に、前記第１支持リブよりも前記他方側でかつ前記第１保持用リブよりも前記一方側となるように配置されるとともに、前記水平方向に配置され前記引っ掛け部と前記第１保持用リブとの間で狭持された状態の前記基板の前記一方側端部に対し下方から臨むように上下方向に孔設され、かつ、前記基板の一方側端部に当接して押圧力を作用させ当該基板を前記他方側方向に移動させることにより前記引っ掛け部の先端を乗り越えさせる工具を下方から挿入するための、基板取り外し用孔部と、を有することを特徴としている。
また、上記問題を解決するため、請求項３に記載の本発明は、水平方向に配置され、垂直方向に沿って上方から迎え入れた基板を水平方向に保持するための固定ベースとなるシャーシと、前記シャーシのうち、前記水平方向に配置された前記基板の水平方向一方側端部よりもさらに前記水平方向一方側の部分から、垂直方向に沿って上方へ向かって突出するように立設された第１支持リブと、前記第１支持リブの上部先端に設けられ、前記基板の前記一方側端部を上方から引っ掛けて下方へ向かって弾性的に押圧するための引っ掛け部と、前記シャーシのうち、前記基板の前記一方側端部近傍の下方でかつ前記第１支持リブよりも前記水平方向他方側に離間して設けられ、前記引っ掛け部と協働して前記基板の前記一方側端部近傍を下方から上方へ向かって押圧狭持する第１保持用リブと、前記シャーシのうち、前記水平方向に配置された前記基板の前記他方側端部よりもさらに前記他方側の部分から、垂直方向に沿って上方へ向かって立設される第２支持リブと、前記シャーシのうち、前記基板の前記他方側端部近傍の下方に設けられ、前記第２支持リブと協働して前記基板の前記他方側端部近傍を狭持する第２保持用リブと、前記水平方向に沿い前記一方側と前記他方側と沿って離間して配置された前記第１支持リブと前記第１保持用リブとの間に、前記第１支持リブよりも前記他方側でかつ前記第１保持用リブよりも前記一方側となるように配置されるとともに、前記水平方向に配置され前記引っ掛け部と前記第１保持用リブとの間で狭持された状態の前記基板の前記一方側端部に対し下方から臨むように上下方向に孔設された基板取り外し用孔部と、を有し、前記基板取り外し用孔部の上部には、下方から前記基板取り外し用孔部に受け入れた工具を前記基板の左端と前記第１支持リブとの間に挿入するとともに、当該挿入された前記工具が、前記基板の一方側端部に当接して押圧力を作用させ当該基板を前記他方側方向に移動させることにより前記引っ掛け部の先端を乗り越えさせるための空間領域を、前記引っ掛け部の下方に備えていることを特徴としている。
また、請求項４の発明は、請求項１乃至請求項３のいずれか１項に記載の樹脂製ケースを電子機器に取り付けるための電子機器筐体として構成するモータ制御装置であることを特徴としている。
【発明の効果】
【０００５】
本発明によると、基板を樹脂ケースの基板取付台を構成するシャーシと垂直な方向から取付けや取り外す場合に、基板を引っ掛け部に装着することで、簡単に基板を保持する事が出来るとともに取付けや取り外し作業も行え、基板保持用リブの折損を防ぐ事が出来る。
また、本発明によると、基板取り外しの際に専用の工具を準備する必要が無く、基板の取り外しが可能となる。
また、本発明によると、支持リブの先端に基板を押圧支持する弾性突起を設けたので、従来技術のように弾性リブを支持リブの下部から突出するように設けた構成に比べて、構造を小型・簡単化することができる。
【発明を実施するための最良の形態】
【０００６】
以下、本発明の実施の形態について図を参照して説明する。
【実施例１】
【０００７】
図１は本発明の実施例を示す基板を取り付けるための樹脂製ケースの概略斜視図、図２は図１のＸ方向から見た樹脂製ケースに基板を取付けた状態を示す正面図、図３は図２のＡ―Ａ線に沿う側断面図、図４は他の実施例を示す引っ掛け部を示す図である。
図１〜図３において、１は樹脂製ケース、２はシャーシ、３および３´は支持リブ、４は引っ掛け部、５および５´は保持用リブ、６は基板、７は基板取り外し用孔部、８は基板取り外し用工具である。なお、樹脂製ケースは基板を該樹脂ケースの基板取付台を構成するシャーシ２と垂直な方向から取付けや取り外す場合となっている。
本発明の特徴は以下のとおりである。
すなわち、固定ベースとなるシャーシ２と、シャーシ２上に基板６を取り付けるための合成樹脂で形成されたケース1と、を備えた基板取付用樹脂製ケースにおいて、シャーシ２上の両端に垂直方向に突出するように立設された支持リブ３および３´と、シャーシ２の両端に設けた支持リブ３および３´の一方のリブ３先端に該シャーシ２と平行に突出するように設けると共に該基板６の一端部を引っ掛けて保持するための引っ掛け部４と、基板６を該基板の下部から押圧支持するように、シャーシ２の下部から突出するようにシャーシ両端に位置する支持リブ３および３´の内側にそれぞれ設けられた保持用リブ５および５´と、引っ掛け部４に保持された基板６を容易に取り外す事が出来るようにシャーシ２における引っ掛け部４を有した支持リブ３と該保持リブ５との間に穿設された基板取り外し用孔部７と、を備えた点である。
また、引っ掛け部４は弾性突起で構成されたものとなっている。
【０００８】
次に動作について説明する。
図３に示すように、先端に傾斜角度を持った工具８（例えばマイナスドライバー等）を、基板の背面（樹脂ケース本体の背面）から入れて、基板取り外し用孔部７に通し、基板６と基板引っ掛け部４を形成する支持リブ３との間に挿入する。次に工具８の先端部を基板６の端面に当て、この基板６の端面を支点として矢印Ｂの方向に工具８を回転移動するように力を加えると、基板６は該基板の下から押圧支持される際に保持用リブ５、５´により反力が作用すると共に、矢印Ｃの方向に力が加わり移動しようとする。そして、弾性突起で構成された引っ掛け部４を有する支持リブ３には矢印Ｄの方向に力が加わって弾性変形することで、基板６が引っ掛け部４の先端部を乗り越え、基板６が基板引っ掛け部４から外れる。
逆に、樹脂製ケース１に振動・衝撃等の外力が加わった場合においては、基板６がシャーシ２の基板引っ掛け部４から容易に外れる事を防ぐ事が可能となる。
【０００９】
したがって、本発明の実施例は上記構成にしたので、基板取付用樹脂製ケースにおいて、シャーシにおける引っ掛け部を有した支持リブと保持リブとの間に基板取り外し用孔部を穿設し、該孔部から基板と基板引っ掛け部を形成する支持リブの間に向かって工具を挿入することにより、基板を樹脂ケースの基板取付台を構成するシャーシと垂直な方向から取付けや取り外す場合に、基板取付用樹脂製ケースの中に手の入るスペースが無くても基板取り外し用孔部を利用することで、基板を容易に取り外すことができる。
また、引っ掛け部は弾性突起で構成されているため、基板を基板取付装置を構成するケースの支持リブから取り外す際にリブの折損を防止することができる。
さらに、支持リブの先端に基板を押圧支持する弾性突起を設けたので、従来技術のように弾性リブを支持リブの下部から突出するように設けた構成に比べて、構造を小型・簡単化することができる。
【００１０】
なお、図４は他の実施例の構成を示す図である。
９は例えばケース１と組み合わせて使用される樹脂製工具であり、樹脂製工具９は、基板取り外し用孔部７から基板引っ掛け部４と基板６との間に挿入することが可能な形状を有した突起部である。
基板取り外しについては、第１実施例同様に基板引っ掛け部４を使用し、基板取り外し用孔部７を介し、樹脂製工具９で矢印Ｂの方向に力を加えることで、基板６を容易に取り外すことができる。これにより、基板６を取り外す際に専用の工具を準備する必要がなくなる。
【産業上の利用可能性】
【００１１】
樹脂製ケースに組み合わされる部品が基板ではなく、他の樹脂製部品であった場合、ネジを使用せず部品の脱着することができるので、多数の部品から形成される樹脂製ユニットにも適用できる。
【図面の簡単な説明】
【００１２】
【図１】本発明の実施例を示す基板を取り付けるための樹脂製ケースの概略斜視図である。
【図２】図１のＸ方向から見た樹脂製ケースに基板を取付けた状態を示す正面図である。
【図３】図２のＡ―Ａ線に沿う側断面図である。
【図４】他の実施例を示す引っ掛け部を示す図である。
【図５】第１従来技術を示す基板取付装置の斜視図である。
【図６】図５の要部を示した側断面図である。
【図７】第２従来技術を示すディスク収納ケースの平面図である。
【図８】図７のディスク収納ケースの爪部の断面図である。
【図９】図７のディスク収納ケースにおける操作片を有した爪部の断面図である。
【符号の説明】
【００１３】
１  樹脂製ケース、
２  シャーシ、
３  支持リブ、
４  引っ掛け部、
５  保持用リブ、
６  基板、
７  基板取り外し用孔部
８  工具（マイナスドライバー）
９  樹脂製工具
【図１】
0005142022.tif 000002
【図２】
0005142022.tif 000003
【図３】
0005142022.tif 000004
【図４】
0005142022.tif 000005
【図５】
0005142022.tif 000006
【図６】
0005142022.tif 000007
【図７】
0005142022.tif 000008
【図８】
0005142022.tif 000009
【図９】
0005142022.tif 000010